【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
コンピュータシステムであって、
１つ以上のプロセッサと、
コンピュータ実行可能命令を保管している１つ以上のコンピュータ読取可能なハードウェア記憶媒体あり、前記コンピュータ実行可能命令は、前記１つ以上のプロセッサによって実行されると、前記コンピュータシステムに、
複数のレイヤを含むシーンを生成させ、前記複数のレイヤは、第１レイヤおよび第２レイヤを含み、前記シーンは、前記コンピュータシステムの一部の第１予測ポーズに基づいて生成されており、
前記第１レイヤに関するユーザの動き閾値が満たされたこと、および、前記第２レイヤに関するユーザの動き閾値が満たされていないことの決定に応じて、前記複数ののレイヤ内のサブ領域を識別させ、前記サブ領域は、前記第１レイヤの少なくとも一部を含み、かつ、前記第２レイヤの少なくとも一部を除外し、前記サブ領域は、前記複数のレイヤ内の少なくとも１つの他の領域から区別されており、
前記複数のレイヤの少なくとも１つの他の領域から前記サブ領域を分離させ、
前記複数のレイヤの前記少なくとも１つの他の領域に後期再投影処理を適用することを抑制しながら、前記分離されたサブ領域に後期再投影処理を適用させる、
ようにすることによって、前記コンピュータシステムに後期再投影を最適化させる、１つ以上のコンピュータ読取可能なハードウェア記憶媒体と、
を含む、コンピュータシステム。
【請求項２】
前記後期再投影処理は、前記複数のレイヤに可逆画像変換を適用することを含む、
請求項１に記載のコンピュータシステム。
【請求項３】
前記サブ領域を分離することは、少なくとも部分的に、ピクセルマスクを前記複数のレイヤに適用することによって実行される、
請求項１に記載のコンピュータシステム。
【請求項４】
前記サブ領域を識別することは、（１）前記複数のレイヤ内の特定の要素、及び（２）前記特定の要素の周囲の境界を識別することを含み、前記サブ領域は、前記要素及び前記特定の要素の周囲の前記境界を含む、
請求項１に記載のコンピュータシステム。
【請求項５】
前記後期再投影処理は、前記複数のレイヤを変換するための１つ以上の変換を含み、前記１つ以上の変換は、前記コンピュータシステムの前記一部の前記第１予測ポーズに応答して前記複数のレイヤに適用される、
請求項１に記載のコンピュータシステム。
【請求項６】
前記コンピュータ実行可能命令の実行は更に、前記コンピュータシステムに、前記分離されたサブ領域の周囲にバッファ領域を適用させる、
請求項１に記載のコンピュータシステム。
【請求項７】
前記シーンは、復号現実シーンである、
請求項１に記載のコンピュータシステム。
【請求項８】
前記シーンは、拡張現実シーンである、
請求項１に記載のコンピュータシステム。
【請求項９】
前記シーンは、仮想現実シーンである、
請求項１に記載のコンピュータシステム。
【請求項１０】
コンピュータ実行可能命令を保管している１つ以上のハードウェアストレージデバイスであって、コンピュータシステムの１つ以上のプロセッサによって実行可能であり、前記コンピュータシステムに、 複数のレイヤを含むシーンを生成させ、前記複数のレイヤは、第１レイヤおよび第２レイヤを含み、前記シーンは、前記コンピュータシステムの一部の第１予測ポーズに基づいて生成されており、
前記第１レイヤに関するユーザの動き閾値が満たされたこと、および、前記第２レイヤに関するユーザの動き閾値が満たされていないことの決定に応じて、前記複数のレイヤ内のサブ領域を識別させ、前記サブ領域は、前記第１レイヤの少なくとも一部を含み、かつ、前記第２レイヤの少なくとも一部を除外し、前記サブ領域は、前記複数のレイヤ内の少なくとも１つの他の領域から区別されており、
前記複数のレイヤの少なくとも１つの他の領域から前記サブ領域を分離させ、
前記複数のレイヤの前記少なくとも１つの他の領域に後期再投影処理を適用することを抑制しながら、前記分離されたサブ領域に後期再投影処理を適用させる、 ようにすることによって、後期再投影を最適化させる、
１つ以上のハードウェアストレージデバイス。
【請求項１１】
前記サブ領域を分離することは、少なくとも部分的に、ベクトルマスクを前記複数のレイヤに適用することによって実行される、
請求項１０に記載の１つ以上のハードウェアストレージデバイス。
【請求項１２】
前記後期再投影処理は、前記複数のレイヤにマトリクス変換を適用することを含む、
請求項１０に記載の１つ以上のハードウェアストレージデバイス。
【請求項１３】
前記第１予測ポーズは、前記コンピュータシステムの１つ以上のハードウェア計測器によって事前に取得された情報に基づいて決定される、
請求項１０に記載の１つ以上のハードウェアストレージデバイス。
【請求項１４】
前記コンピュータシステムの前記１つ以上のハードウェア計測器は、加速度計、ジャイロスコープ、磁気計、深さセンサ、カメラ、または、赤外線センサを含む、
請求項１３に記載の１つ以上のハードウェアストレージデバイス。
【請求項１５】
前記第１レイヤは、第１解像度に従ってレンダリングされ、かつ、前記第２レイヤは、）第２解像度に従ってレンダリングされる、
請求項１０に記載の１つ以上のハードウェアストレージデバイス。
【請求項１６】
前記コンピュータシステムは、また、前記コンピュータシステムのユーザの目の動きも追跡し、
前記第１レイヤに含まれるシーン要素は、前記ユーザの目の中心窩の近くに表示され、一方で、前記第２レイヤに含まれるシーン要素は、前記ユーザの目の中心窩の近くには表示されず、
それにより、前記シーンは、中心窩レンダリングのために構成される、
請求項１５に記載の１つ以上のハードウェアストレージデバイス。
【請求項１７】
前記第１レイヤに適用される前記後期再投影処理は、前記第２レイヤに適用される後期再投影処理とは異なる、
請求項１０に記載の１つ以上のハードウェアストレージデバイス。
【請求項１８】
前記第１レイヤの後期再投影処理と前記第２レイヤの後期再投影処理との間の差異は、前記第１レイヤと前記第２レイヤとの間の決定された深さの差異に起因する、
請求項１７に記載の１つ以上のハードウェアストレージデバイス。
【請求項１９】
後期再投影を最適化するための方法であって、前記方法は、コンピュータシステムの１つ以上のプロセッサによって実行されるものであり、前記方法は、
複数のレイヤを含むシーンを生成するステップであり、前記複数のレイヤは、第１レイヤおよび第２レイヤを含み、前記シーンは、前記コンピュータシステムの一部の第１予測ポーズに基づいて生成されている、ステップと、
前記第１レイヤに関するユーザの動き閾値が満たされたこと、および、前記第２レイヤに関するユーザの動き閾値が満たされていないことの決定に応じて、前記複数のレイヤ内のサブ領域を識別するステップであり、前記サブ領域は、前記第１レイヤの少なくとも一部を含み、かつ、前記第２レイヤの少なくとも一部を除外し、前記サブ領域を、前記複数のレイヤ内の少なくとも１つの他の領域から区別する、ステップと、
前記複数のレイヤの少なくとも１つの他の領域から前記サブ領域を分離するステップと、
前記複数のレイヤの前記少なくとも１つの他の領域に後期再投影処理を適用することは抑制しながら、前記分離されたサブ領域に後期再投影処理を適用するステップと、
を含む、方法。
【請求項２０】
前記後期再投影処理は、前記第１レイヤにおける全てのピクセルに適用され、一方で、前記後期再投影処理は、前記第２レイヤにおけるピクセルのサブセットのみに適用される、
請求項１９に記載の方法。
【請求項２１】
前記サブ領域は、透明部分を含み、かつ、
前記後期再投影処理が、分離された前記サブ領域に適用された後で、前記第２レイヤの不明瞭にされた部分は、前記サブ領域の前記透明部分を通して見える、
請求項１９に記載の方法。